(57)【特許請求の範囲】
【請求項１】
内外筒の間に、吸込通路を形成し、この内筒にファンとモータ、及びダクトを設けるとともに、この外筒の他方を開放し、その一方を閉塞する二重筒構造の小型換気装置であって、
前記内筒の途中に、吸音材でなる連結筒部を形成するとともに、前記外筒の他方にある吸込口の端部に、ベルトを設け、このベルトと、この端部との間に隙間を形成し、
また、前記外筒の他方にある吸込通路の吸込口に、空気誘導部材を設ける構成とした二重筒構造の小型換気装置。
【請求項２】
請求項１に記載の二重筒構造の小型換気装置であって、
前記空気誘導部材を、ベルマウスとする構成とした二重筒構造の小型換気装置。
【請求項３】
請求項１に記載の二重筒構造の小型換気装置であって、
前記ダクトの吸込口を、前記モータの尻側に設けた連結具で固定するとともに、前記内筒の内面に設ける構成とした二重筒構造の小型換気装置。
【請求項４】
請求項１に記載の二重筒構造の小型換気装置であって、
前記吸音材を、金属性の硬体で構成するとともに、この吸音材を、前記内筒の一方筒部と、その他方筒部との間に設ける構成とした二重筒構造の小型換気装置。
【請求項５】
請求項１に記載の二重筒構造の小型換気装置であって、
前記ダクト吸込口には、環状の帯体を設け、この帯体の内側に設けた取付腕の中心孔に螺着される前記モータの尻側に設けた螺軸と、この螺軸に螺着した止め具とを設ける構成とした二重筒構造の小型換気装置。
【請求項６】
請求項１に記載の二重筒構造の小型換気装置であって、
前記内筒の内側には、吸音材、又は複数の邪魔板でなる吸音手段を有する構成とした二重筒構造の小型換気装置。
【発明の詳細な説明】
【技術分野】
【０００１】
本発明は、マンホール内の酸欠防止、ガス中毒防止（作業環境の安全維持）とか、工場・地上での土管内作業等における煤煙・有毒ガス等の除去（作業内部に新鮮な空気を送風）、又は工場等における高熱作業の空気（冷気）送風手段として利用されている二重筒構造の小型送風装置（二重構造のハンディファン）に関する。
【背景技術】
【０００２】
従来の小型送風機（ハンディファン）は、図７に示した従来技術がある。このハンディファンは、一方と他方が開放した、筒状の外筒でなる本体に、ダクト（蛇腹送風管）と、モータ並びにファンをそれぞれ収容する構造であり、外部電気を介してモータを駆動し、この駆動でファンを回して、外気（新鮮な空気）を吸込み、この外気を、ダクトを介して、必要とする箇所に、効率的に送風する構造である。しかし、外筒でなる本体では、ファン、モータと、吸込空気等による騒音問題と、これによる作業環境悪化、又は近辺の環境悪化等の問題がある。そこで、この騒音問題の解消、即ち、騒音低下が大切な要件となっている。その解決策を、先行文献より検討するが、具体的には、この種のハンディファンに関する分類では、原則として、有効と考えられる文献は見当たらなかったので、以下、関連する公報を示す。
【０００３】
◎  特開平８−２８５３４１号公報の文献が挙げられる（文献１とする）が、この文献は、換気管整理を図り、かつ持運びに有効な換気管収納ケースと換気装置の構造に関する。この目的を達成するために、換気管収容ケースを、長手方向において、半割り形状とし、この半割り形状を緊締具で、筒体とするとともに、この換気管収容ケースの端部に、換気管（ダクト）の自由端を、緊締する内鍔片（ストッパ部）を設ける構造である。しかし、この発明は、騒音問題を解消するものでなく、逆に、騒音を外部に拡散する問題を抱えているように考えられる。
【０００４】
◎  実開平５−１７２００号公報の文献が挙げられる（文献２とする）が、この文献は、マンホールへの給気を図る給気用防音型送風装置であり、軸流送風機を、吸音材付のカバーで囲繞し、この消音材で、騒音吸収を図りつつ、外部への騒音脱漏防止を図ることを意図する。しかし、この考案は、ケース内面に吸音材を付設した構造であり、特段、創作力において優れた構造とは、考えられない。
【０００５】
◎  実開平５−８７２８８号公報の文献が挙げられる（文献３とする）が、この文献は、複数の電源で、作動可能とする構造であり、例えば、バッテリー、自動車のシガレットライタ、又は商用電源を利用可能とし、利便性を図る構造である。従って、この考案は、騒音問題の解消、即ち、騒音低下等の問題を捉えていないので、本発明とは、乖離がある。
【０００６】
尚、ハンディファンでないが、本出願人は、洗車機、又はオイルミストコレクタにおいて、幾多の消音手段を採用する。例えば、特開２００７−２４００８号公報の「送風機用の低騒音ファン装置」において、ケーシングの内壁面に吸音材を繞設し、消音を図る発明と、特開２０１１−１６１１５号公報の「オイルミストコレクタの騒音防止機構」において、ケーシングに設けたパンチング筒体と、複数のパンチング板とを設けで消音効果を図る発明とかある。しかし、これらの構造は、基本的な構造が異なり、本発明に採用するには、改良点がある。また、処理対象物が異なることから、採用するには、問題を抱えているものと、考えられる。
【０００７】
【特許文献１】特開平８−２８５３４１号公報
【特許文献２】実開平５−１７２００号公報
【特許文献３】実開平５−８７２８８号公報
【発明の概要】
【発明が解決しようとする課題】
【０００８】
上記に鑑み、本発明は、ハンディファンに最適な、騒音解消、騒音低下等が図れる騒音防止（消音）装置を提供するが、その特徴は、以下のようになる。
イ）  内筒に、吸音材でなる連結筒部を形成することで、消音と、二重構造の小型送風装置を提供できる。
ロ）  吸音材でなる連結筒部を形成した、二重構造の小型送風装置であり、従来のハンディファンと同じ取扱と、重量が図れ（吸音材による軽量化）、かつ送風量の拡充が図れ、また移動時の持運びにも有効である。
ハ）  内外筒の間に、通路を形成し、かつこの外筒の一方を閉塞した二重筒構造の小型送風装置であり、吸込空気用の通路を、内筒の外側（外周）とすることで、ファン消音を図り、かつこの通路の空気を消音緩衝区域として活用すること、等にある。
ホ）  殊に、通路の空気を消音緩衝区域として活用し、かつ内筒に吸音材でなる連結筒部を形成することで、モータとファン消音効果と、装置の振動防止等を発揮できる。
へ）  通路の吸込側に、空気誘導部材としてのベルマウスを設けて、スムーズな外気（空気）の取入れと、この外気を、通路の一方（閉塞側）に、スムーズに移動可能とする。
ト）  ダクトを、モータの尻側に設けた連結具で固定し、かつダクト吸込口の外周部を、内筒の内面に密着する構成であり、ダクトの着脱の容易化と、ダクトへの外気の流れとを確保できる。
チ）  連結筒部を構成する吸音材を、金属性の硬体で構成し、適度の強度確保と、内筒を無くしても、支障がない構造とすることにある。
リ）  外筒の吸込口の端部に設けたベルトと、端部との間に隙間を形成し、隙間は、ダクト収容時に、ダクトに設けたスプリングの反力で、圧着されてなくなり、また、隙間は、ダクトを延展する際に、ベルトの移動用のスペースとし、ベルトを、外筒の外面に移動可能とする構成であり、ダクトの内筒への収容と、ダクトの内筒からの容易な取出しを可能とする。
ヌ）  ダクト吸込口に設けた帯体と、帯体に設けた取付腕とを利用し、モータに設けた螺軸に遊嵌し、かつ螺軸に螺着した止め具で、ダクト吸込口を、内筒の内面に密着して設けることで、ダクトの着脱の容易化と、ダクトと内筒との空気漏れを解消できる。
ル）  外筒の内側に、吸音材、又は邪魔板で、さらに消音を図る。
【課題を解決するための手段】
【０００９】
請求項１の発明は、前記イ）〜ホ）の特徴を達成することを意図する。
【００１０】
請求項１は、内外筒の間に、吸込通路を形成し、この内筒にファンとモータ、及びダクトを設けるとともに、この外筒の他方を開放し、その一方を閉塞する二重筒構造の小型送風装置であって、
前記内筒の途中に、吸音材でなる連結筒部を形成するとともに、前記外筒の他方にある吸込口の端部に、ベルトを設け、このベルトと、この端部との間に隙間を形成し、
また、前記外筒の他方にある吸込通路の吸込口に、空気誘導部材を設ける構成とした二重筒構造の小型送風装置である。
【００１１】
請求項２の発明は、前記イ）〜ホ）と、へ）の特徴を達成することを意図する。
【００１２】
請求項２は、請求項１に記載の二重筒構造の小型送風装置であって、
前記空気誘導部材を、ベルマウスとする構成とした二重筒構造の小型送風装置である。
【００１３】
請求項３の発明は、前記イ）〜ホ）と、ト）の特徴を達成することを意図する。
【００１４】
請求項３は、請求項１に記載の二重筒構造の小型送風装置であって、
前記ダクトの吸込口を、前記モータの尻側に設けた連結具で固定するとともに、前記内筒の内面に設ける構成とした二重筒構造の小型送風装置である。
【００１５】
請求項４の発明は、前記イ）〜ホ）と、チ）の特徴を達成することを意図する。
【００１６】
請求項４は、請求項１に記載の二重筒構造の小型送風装置であって、
前記吸音材を、金属性の硬体で構成するとともに、この吸音材を、前記内筒の一方筒部と、その他方筒部との間に設ける構成とした二重筒構造の小型送風装置である。
【００１９】
請求項５の発明は、前記イ)〜ホ)と、ヌ)の特徴を達成することを意図する。
【００２０】
請求項５は、請求項１に記載の二重筒構造の小型送風装置であって、
前記ダクト吸込口には、環状の帯体を設け、この帯体の内側に設けた取付腕の中心孔に螺着される前記モータの尻側に設けた螺軸と、この螺軸に螺着した止め具とを設ける構成とした二重筒構造の小型送風装置である。
【００２１】
請求項６の発明は、前記イ)〜ホ)と、ル)の特徴を達成することを意図する。
【００２２】
請求項６は、請求項１に記載の二重筒構造の小型送風装置であって、
前記内筒の内側には、吸音材、又は複数の邪魔板でなる吸音手段を有する構成とした二重筒構造の小型送風装置である。
【発明の効果】
【００２３】
請求項１の発明は、内外筒の間に、吸込通路を形成し、内筒にファンとモータ、及びダクトを設けるとともに、外筒の他方を開放し、一方を閉塞する二重筒構造の小型送風装置であって、
内筒の途中に、吸音材でなる連結筒部を形成するとともに、外筒の他方にある吸込口の端部に、ベルトを設け、ベルトと、端部との間に隙間を形成し、
また、外筒の他方にある吸込通路の吸込口に、空気誘導部材を設ける構成とした二重筒構造の小型送風装置である。
【００２４】
これにより、請求項１は、前記イ）〜ホ）の特徴を達成できる。
【００２５】
請求項２の発明は、請求項１に記載の二重筒構造の小型送風装置であって、
空気誘導部材を、ベルマウスとする構成とした二重筒構造の小型送風装置である。
【００２６】
これにより、請求項２は、前記イ）〜ホ）と、へ）の特徴を達成できる。
【００２７】
請求項３の発明は、請求項１に記載の二重筒構造の小型送風装置であって、
ダクトの吸込口を、モータの尻側に設けた連結具で固定するとともに、内筒の内面に設ける構成とした二重筒構造の小型送風装置である。
【００２８】
これにより、請求項３は、前記イ）〜ホ）と、ト）の特徴を達成できる。
【００２９】
請求項４は、請求項１に記載の二重筒構造の小型送風装置であって、
吸音材を、金属性の硬体で構成するとともに、吸音材を、内筒の一方筒部と、その他方筒部との間に設ける構成とした二重筒構造の小型送風装置である。
【００３０】
これにより、請求項４は、前記イ）〜ホ）と、チ）の特徴を達成できる。
【００３３】
請求項５の発明は、請求項１に記載の二重筒構造の小型送風装置であって、
ダクト吸込口には、環状の帯体を設け、帯体の内側に設けた取付腕の中心孔に螺着されるモータの尻側に設けた螺軸と、螺軸に螺着した止め具とを設ける構成とした二重筒構造の小型送風装置である。
【００３４】
これにより、請求項５は、前記イ)〜ホ)と、ヌ)の特徴を達成できる。
【００３５】
請求項６は、請求項１に記載の二重筒構造の小型送風装置であって、
内筒の内側には、吸音材、又は複数の邪魔板でなる吸音手段を有する構成とした二重筒構造の小型送風装置である。
【００３６】
これにより、請求項６は、前記イ)〜ホ)と、ル)の特徴を達成できる。
【図面の簡単な説明】
【００３７】
【図１】本装置の全体の一部を断面と、その一部を欠截して示した拡大側面図
【図２】図１の全体正面図
【図３】図１の全体側面図
【図４】ダクトを延展した一部省略の側面図
【図５】マンホールに使用する状態の模式図
【図６−１】本装置の他の一例を、全体の一部を断面にして示した拡大側面図
【図６−２】本装置の別の一例を、全体の一部を断面にして示した拡大側面図
【図７】従来のハンディファンの全体の一部を断面にして示した拡大側面図
【発明を実施するための形態】
【００３８】
本発明の基本構造を、本発明のケーシングＡ（二重筒構造の小型送風装置）は、内外筒１、２でなり、この内外筒１、２の間（その外面１ｂと内面２ａ）には、通路３を形成する。
【００３９】
この内筒１は、内筒１の外面１ｂと外筒２の内面２ａとの間に複数本設けた支持腕５を介して、外筒２内に架承する。この架承により、前記通路３が形成される。そして、この内筒１は、金属製の一方筒部１００（筒部：筒体）と、金属製の他方筒部１０１と、この一方筒部１００、及び他方筒部１０１を繋ぐ、金属製の吸音材（制振材）でなる吸音筒部１０２とで構成される。尚、この吸音筒部１０２は、内筒１の一部か、必要により全部でも可能である。この一部等の場合には、より消音と、防振等に有効と考えられる。この吸音筒部１０２は、メッシュの間にアルミ繊維を挿入し、プレス成型した構造であり、多数の気孔を備え、吸音性と、通気性、防振性等を備える。尚、その他として、アルミ粒子をプレス成型した構造で、かつ多数の気孔を備え構成も採用可能と考えられる。また、この内筒１に設けた複数本の支持腕６で、その内部にモータ７を架承する。このモータ７の出力軸７００（回転軸）にはファン８が、回転可能に設けられている。この内筒１内には、ビニール膜１０ａとスプリング１０ｂで構成する蛇腹構造のダクト１０が収容される。このダクト１０のダクト吸込口１０００（の外周部）は、内筒１の内面１ａに、密着して設けるとともに、モータ７の尻側７ａに、連結具を介して固止される。この一例の連結具は、このビニール膜のダクト吸込口１０００には環状の帯体１００１を被覆し、この帯体１００１の内側には、椀状で、かつ複数本のバネ板材でなる取付腕１００２を設けた構成とし、この取付腕１００２の中心孔１００２ａを、モータ７の尻７ａ側に設けた螺軸７０１に遊嵌するとともに、この螺軸７０１に螺着した止め具７０２で固定される。この固定により、ダクト１０がモータ７に取付けられるとともに、ダクト吸込口１０００を、内筒１の内面１ａに、密着して設けられる。このように、ダクト１０は、モータ７と内筒１に、簡易に取付け、又は取外される。尚、吸音筒部１０２は、ダクト１０のダクト吸込側１０ｃに相当する箇所（モータ７の一部を含む）を囲繞する構造が望ましい。その理由は、経済性と、強度の確保、並びに軽量化等を達成するためである。
【００４０】
尚、外筒２の一方２ｃは、蓋１１で閉塞されるとともに、この蓋１１と内筒１との間には、前記通路３の終端開口３ａに繋がる通路３００（終端通路）が形成される。この通路３００は、内筒１の一方開口１ｄに連通されるとともに、内筒１の通路１ｃを解して、ダクト１０のダクト吸込口１０００に繋がる。また、この外筒２の他方２ｄは開放であり、内筒１の外面１ｂとの間が、外気の吸込口２０１となる。この外筒２の他方２ｄで、かつその外面２ｂには、バックル１２００（必要により）を備えたベルト１２（バンド）が可動自在に設けられており、このベルト１２と他方２ｄの端部２ｄ１との間には、隙間１３が形成されている。この隙間１３は、ダクト１０を、内筒１に収容した際に、ダクト１０に設けたスプリング１０ｂの反力で、Ｘ方向に緊締されて、ダクト開口１００３（給気開口）がベルト１２に圧着されて、前記隙間１３は、無くなる。また、このダクト１０を開放する（ダクト開口１００３より順次、内筒１の他方開口１ｄより延展した）際に、隙間１３を利用して（隙間１３が有ることで、ベルト１０が、外筒２の外面２ｂを越え得る）、このベルト１２を、外筒２の外面２ｂ（周辺）に移動可能とする。
【００４１】
図中、１５は、ベルマウスでなる空気誘導部材で、この空気誘導部材１５は、通路３の吸込口３ｂに設ける。この空気誘導部材１５を利用し、この通路３に外気を取入れるとともに、通路３の終端開口３ａに、スムーズに送風する。
【００４２】
また、図６−１は外筒２の内面２ａ、及び／又は、蓋１１の内面の全体に、吸音材１６を張装し、さらに消音効果を図る。また、図６−１は外筒２の内面２ａ、又は、蓋１１の内面の全体に、邪魔板１７を突設し、さらに消音効果を図る。
【００４３】
図中１８はコード、２０はコンセント、２１はスイッチ、２２は把手を、それぞれ示す。
【００４４】
続いて、外気（空気）の流れを説明すると、図５の如く、ベルト１２を外し、ダクト１０を延展し、そのダクト開口１００３を、マンホールの下部に設置する。そして、スイッチ２１をオンすることで、モータ７が駆動し、ファン８が回転する。図１に矢視で示した如く、このファン８の回転により、通路３に設けたベルマウス１５より、外気を吸込み、通路３を通った後、通路３００に到る。その後、吸込み外気の略全部が、内筒１の一方開口１ｃと、ダクト吸込口１０００を経由して、ダクト１０内に至る。そして、このダクト１０のダクト開口１００３より、マンホール内に、外気が供給される構造である。この通路３を流れる外気の一部が、吸音材でなる吸音筒部１０２の気孔を通過して、内筒１とダクト１０の隙間に通ることで、装置全体の消音効果が図れること、又は装置全体（内外筒１、２）に及ぼす振動防止、又はスムーズな外気の流れを確保できること、等に役立つ構造である。
【００４５】
本発明の装置と、異なる装置であっても、同様な消音効果と、ダクトの容易な取付け、取外し、並びにダクトの収容の容易化等を達成できる構造は、本発明の範疇である。
【符号の説明】
【００４６】
Ａ            ケーシング
１            内筒
１ａ          内面
１ｂ          外面
１ｃ          通路
１００        一方筒部
１０１        他方筒部
１０２        吸音筒部
２            外筒
２ａ          内面
２ｂ          外面
２ｃ          一方
２ｄ          他方
２ｄ１        端部
２０１        吸込口
３            通路
３ａ          開口
３ｂ          吸込口
３００        通路
５            支持腕
６            支持腕
７            モータ
７ａ          尻側
７００        出力軸
７０１        螺軸
７０２        止め具
８            ファン
１０          ダクト
１０ａ        ビニール膜
１０ｂ        スプリング
１０００      ダクト吸込口
１００１      帯体
１００２      取付腕
１００２ａ    孔
１００３      ダクト開口
１１          蓋
１２          ベルト
１２００      バックル
１３          隙間
１５          ベルマウス
【図１】
0005911705.tif 000002
【図２】
0005911705.tif 000003
【図３】
0005911705.tif 000004
【図４】
0005911705.tif 000005
【図５】
0005911705.tif 000006
【図６−１】
0005911705.tif 000007
【図６−２】
0005911705.tif 000008
【図７】
0005911705.tif 000009